【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
実質的に透明なコンタクトレンズ材料と、
前記コンタクトレンズ材料の少なくとも一部に組み込まれた、あるいは接触している追加視覚インジケータ（「ＥＯＩ」）とを具えるコンタクトレンズであって、
眼から前記コンタクトレンズを取り外すと前記ＥＯＩの色が変化することを特徴とするコンタクトレンズ。
【請求項２】
請求項１に記載のコンタクトレンズにおいて、前記ＥＯＩが、当該コンタクトレンズが眼に装着されているときよりも当該コンタクトレンズが眼から外れているときに、比較的見やすくなるよう適合していることを特徴とするコンタクトレンズ。
【請求項３】
請求項２に記載のコンタクトレンズにおいて、前記ＥＯＩが、サーモクロマチック色素から少なくとも部分的に構成されていることを特徴とするコンタクトレンズ。
【請求項４】
請求項２に記載のコンタクトレンズにおいて、前記ＥＯＩが、ｐＨ反応性色素から少なくとも部分的に構成されていることを特徴とするコンタクトレンズ。
【請求項５】
請求項２に記載のコンタクトレンズにおいて、前記ＥＯＩが、有機物質と接触すると色を変化させるよう適合した色素から少なくとも部分的に構成されていることを特徴とするコンタクトレンズ。
【請求項６】
請求項１に記載のコンタクトレンズにおいて、前記ＥＯＩが、当該コンタクトレンズが眼から外れているときよりも当該コンタクトレンズが眼に装着されているときに、比較的見にくくなるよう適合していることを特徴とするコンタクトレンズ。
【請求項７】
請求項６に記載のコンタクトレンズにおいて、前記ＥＯＩが、サーモクロマチック色素から少なくとも部分的に構成されていることを特徴とするコンタクトレンズ。
【請求項８】
請求項６に記載のコンタクトレンズにおいて、前記ＥＯＩが、ｐＨ反応性色素から少なくとも部分的に構成されていることを特徴とするコンタクトレンズ。
【請求項９】
請求項６に記載のコンタクトレンズにおいて、前記ＥＯＩが、有機物質と接触すると色を変化させるよう適合した色素から少なくとも部分的に構成されていることを特徴とするコンタクトレンズ。
【請求項１０】
請求項１に記載のコンタクトレンズにおいて、前記ＥＯＩが、サーモクロマチック色素から少なくとも部分的に構成されていることを特徴とするコンタクトレンズ。
【請求項１１】
請求項１に記載のコンタクトレンズにおいて、前記ＥＯＩが、ｐＨ反応性色素から少なくとも部分的に構成されていることを特徴とするコンタクトレンズ。
【請求項１２】
請求項１に記載のコンタクトレンズにおいて、前記ＥＯＩが、有機物質と接触すると色を変化させるよう適合した色素から少なくとも部分的に構成されていることを特徴とするコンタクトレンズ。
【請求項１３】
請求項１に記載のコンタクトレンズにおいて、当該コンタクトレンズが、（１）アルファフィルコンＡ、（２）アスモフィルコンＡ、（３）バラフィルコンＡ、（４）コムフィルコンＡ、（５）エンフィルコンＡ、（６）ガリフィルコンＡ、（７）ヒラフィルコンＡ（８）ヒラフィルコンＢ、（９）ヒオキシフィルコン、（１０）ロトラフィルコンＢ、（１１）メタフィルコンＡ、（１２）オマフィルコンＡ、（１３）フェムフィルコンＡ、（１４）ポリマコン、（１５）セノフィルコン、（１６）テトラフィルコンＡ、（１７）ビフィルコンＡ、（１８）ポリメタクリル酸メチル、（１９）親水性ゲル、（２０）シリコン、（２１）ＨＥＭＡ、（２２）ＧＭＡ、（２３）ＭＭＡ、（２４）ＮＶＰ、（２５）キセロゲルおよび（２６）硬質ガス透過性ポリマとして市場で認識されている材料からなる群から選択された材料により少なくとも部分的に構成されていることを特徴とするコンタクトレンズ。
【請求項１４】
請求項１に記載のコンタクトレンズにおいて、前記インジケータが、（１）ロイコ染料、（２）ラクトン、（３）弱酸、（４）ドデカノール、（５）スピロラクトン、（６）フルオラン、（７）スピロピラン、（８）フルギド、（９）ビスフェノールＡ、（１０）パラベン、（１１）１，２，３−トリアゾール誘導体、および（１２）４−ヒドロキシクマリンからなる群から選択された材料を含むことを特徴とするコンタクトレンズ。
【請求項１５】
第１のコンタクトレンズであって、当該第１のレンズを眼から取り外すと第１の色に変化するよう適合した第１の追加視覚インジケータ（「ＥＯＩ」）を有する第１のコンタクトレンズと、第２のコンタクトレンズであって、当該第２のレンズを眼から取り外すと第２の色に変化するよう適合した第２の追加視覚インジケータ（「ＥＯＩ」）を有する第２のコンタクトレンズとを具えることを特徴とするコンタクトレンズ。
【請求項１６】
請求項１５に記載のコンタクトレンズにおいて、前記第１および第２のＥＯＩが、当該コンタクトレンズが眼に装着されているときよりもそれぞれのコンタクトレンズが眼から外れているときに、比較的見やすくなるよう適合していることを特徴とするコンタクトレンズ。
【請求項１７】
請求項１６に記載のコンタクトレンズにおいて、前記第１および第２のＥＯＩが、サーモクロマチック色素から少なくとも部分的に構成されていることを特徴とするコンタクトレンズ。
【請求項１８】
請求項１６に記載のコンタクトレンズにおいて、前記第１および第２のＥＯＩが、ｐＨ反応性色素から少なくとも部分的に構成されていることを特徴とするコンタクトレンズ。
【請求項１９】
請求項１６に記載のコンタクトレンズにおいて、前記第１および第２のＥＯＩが、有機物質と接触すると色を変化させるよう適合した色素から少なくとも部分的に構成されていることを特徴とするコンタクトレンズ。
【請求項２０】
請求項１６に記載のコンタクトレンズにおいて、前記第１および第２のＥＯＩが、それぞれのコンタクトレンズが眼から外れているときよりも眼に装着されているときに、比較的見にくくなるよう適合していることを特徴とするコンタクトレンズ。
【請求項２１】
請求項２０に記載のコンタクトレンズにおいて、前記第１および第２のＥＯＩが、サーモクロマチック色素から少なくとも部分的に構成されていることを特徴とするコンタクトレンズ。
【請求項２２】
請求項２０に記載のコンタクトレンズにおいて、前記第１および第２のＥＯＩが、ｐＨ反応性色素から少なくとも部分的に構成されていることを特徴とするコンタクトレンズ。
【請求項２３】
請求項２０に記載のコンタクトレンズにおいて、前記第１および第２のＥＯＩが、有機物質と接触すると色を変化させるよう適合した色素から少なくとも部分的に構成されていることを特徴とするコンタクトレンズ。
【請求項２４】
請求項１５に記載のコンタクトレンズにおいて、当該コンタクトレンズが、（１）アルファフィルコンＡ、（２）アスモフィルコンＡ、（３）バラフィルコンＡ、（４）コムフィルコンＡ、（５）エンフィルコンＡ、（６）ガリフィルコンＡ、（７）ヒラフィルコンＡ（８）ヒラフィルコンＢ、（９）ヒオキシフィルコン、（１０）ロトラフィルコンＢ、（１１）メタフィルコンＡ、（１２）オマフィルコンＡ、（１３）フェムフィルコンＡ、（１４）ポリマコン、（１５）セノフィルコン、（１６）テトラフィルコンＡ、（１７）ビフィルコンＡ、（１８）ポリメタクリル酸メチル、（１９）親水性ゲル、（２０）シリコン、（２１）ＨＥＭＡ、（２２）ＧＭＡ、（２３）ＭＭＡ、（２４）ＮＶＰ、（２５）キセロゲルおよび（２６）硬質ガス透過性ポリマとして市場で認識されている材料からなる群から選択された材料により少なくとも部分的に構成されていることを特徴とするコンタクトレンズ。
【請求項２５】
請求項１５に記載のコンタクトレンズにおいて、前記インジケータが、（１）ロイコ染料、（２）ラクトン、（３）弱酸、（４）ドデカノール、（５）スピロラクトン、（６）フルオラン、（７）スピロピラン、（８）フルギド、（９）ビスフェノールＡ、（１０）パラベン、（１１）１，２，３−トリアゾール誘導体、および（１２）４−ヒドロキシクマリンからなる群から選択された材料を含むことを特徴とするコンタクトレンズ。